(57)【要約】【課題】電解液の漏れや外部からの水分の浸入のおそれが少ない、絶縁性材料で形成された容器を用いた電気二重層コンデンサ及び電池を提供する。【解決手段】本発明の電気二重層コンデンサは、夫々電解液が含浸された第１分極性電極６、セパレータ７及び第２分極性電極８を収納する絶縁性材料で形成された容器１と、前記第１分極性電極６に電気的に接続された板状の第１端子部材４と、前記第２分極性電極８に電気的に接続された板状の第２端子部材５とを具えており、前記第１端子部材４及び前記第２端子部材５は、前記容器１を貫通して外部に延びており、前記第１端子部材４及び前記第２端子部材５には、前記容器１の外部に至る前記容器１の壁部に埋められた部分に、１又は複数の開口１１，１２が形成されている。前記第１端子部材及び前記第２端子部材には、前記容器１の外部に至る前記容器１の壁部に埋められた部分に、１又は複数の切り欠き又は網部を形成してもよい。【選択図】    図２
2005026536.tif 000002
【特許請求の範囲】
【請求項１】
夫々電解液が含浸された第１分極性電極（６）、セパレータ（７）及び第２分極性電極（８）を収納する絶縁性材料で形成された容器（１）と、前記第１分極性電極（６）に電気的に接続された板状の第１端子部材（４）と、前記第２分極性電極（８）に電気的に接続された板状の第２端子部材（５）とを具えており、
前記第１端子部材（４）及び前記第２端子部材（５）は、前記容器（１）を貫通して外部に延びており、
前記第１端子部材（４）及び前記第２端子部材（５）には、前記容器（１）の外部に至る前記容器（１）の壁部に埋められた部分に、１又は複数の開口（１１）（１２）、切り欠き（１３）、若しくは網部（１４）が形成されている電気二重層コンデンサ。
【請求項２】
夫々電解液が含浸された第１分極性電極（６）、セパレータ（７）及び第２分極性電極（８）を収納する絶縁性材料で形成された容器（１）と、前記第１分極性電極（６）に電気的に接続された板状の第１端子部材（４）と、前記第２分極性電極（８）に電気的に接続された板状の第２端子部材（５）とを具えており、
前記第１端子部材（４）及び前記第２端子部材（５）は、前記容器（１）を貫通して外部に延びており、
前記第１端子部材（４）及び前記第２端子部材（５）は、前記容器の外部に至る前記容器の壁部に埋められた部分が薄くなっている電気二重層コンデンサ。
【請求項３】
前記第１端子部材（４）及び前記第２端子部材（５）の少なくとも何れか一方は、前記容器（１）の外部に至る前記容器（１）の壁部に埋められた部分が屈曲されている請求項１又は請求項２に記載の電気二重層コンデンサ。
【請求項４】
前記第１端子部材（４）及び前記第２端子部材（５）の少なくとも何れか一方は、リード部材（１５）（１７）及び集電体部（１６）（１８）で構成されている請求項１乃至請求項３の何れかに記載の電気二重層コンデンサ。
【請求項５】
夫々電解液が含浸された正活物質（６１）、セパレータ（７）及び負活物質（８１）を収納する絶縁性材料で形成された容器（１）と、前記第１分極性電極（６）と電気的に接続された板状に第１端子部材（４）と、前記第２分極性電極（８）に電気的に接続された板状の第２端子部材（５）とを具えており、
前記第１端子部材（４）及び前記第２端子部材（５）は、前記容器（１）を貫通して外部に延びており、
前記第１端子部材（４）及び前記第２端子部材（５）には、前記容器（１）の外部に至る前記容器（１）の壁部に埋められた部分に、１又は複数の開口（１１）（１２）、切り欠き（１３）、若しくは網部（１４）が形成されている電池。
【請求項６】
夫々電解液が含浸された正活物質（６１）、セパレータ（７）及び負活物質（８１）を収納する絶縁性材料で形成された容器（１）と、前記第１分極性電極（６）に電気的に接続された板状の第１端子部材（４）と、前記第２分極性電極（８）に電気的に接続された板状の第２端子部材（５）とを具えており、
前記第１端子部材（４）及び前記第２端子部材（５）は、前記容器（１）を貫通して外部に延びており、
前記第１端子部材（４）及び前記第２端子部材（５）は、前記容器（１）の外部に至る前記容器（１）の壁部に埋められた部分が薄くなっている電池。
【請求項７】
前記第１端子部材（４）及び前記第２端子部材（５）の少なくとも何れか一方は、前記容器（１）の外部に至る前記容器（１）の壁部に埋められた部分が屈曲されている請求項５又は請求項６に記載の電池。
【請求項８】
前記第１端子部材（４）及び前記第２端子部材（５）の少なくとも何れか一方は、リード部材（１５）（１７）及び集電体部（１６）（１８）で構成されている請求項５乃至請求項７の何れかに記載の電池。
【発明の詳細な説明】
【０００１】
【発明が属する技術分野】
本発明は、水系又は非水系電解質を具える電気二重層コンデンサ及び電池に関する。
【０００２】
【従来の技術】
小型のコイン型電気二重層コンデンサは、携帯電話やデジタルカメラ等の電子機器において、主にバックアップ用電源として広く用いられている。周知のように、コイン型電気二重層コンデンサは、一対の分極性電極と、これら分極性電極間に介在されたセパレータを、互い絶縁された一対の金属缶間の内部空間に収納したものである。分極性電極及びセパレータには、電解液が含浸されている（特許文献１参照）。
【０００３】
回路基板に装着される電子部品はチップ化が進んでいるため、回路基板上では、電気二重層コンデンサに対して長方形状の実装領域が設定される場合が多い。しかし、長方形状の実装領域にコイン型電気二重層コンデンサを配置すると、該コイン型電気二重層コンデンサが円盤状の形状を有することから、実装領域の各角部周辺に大きな空き部分が生じる。
【０００４】
電気二重層コンデンサの外形を角状にすれば、空き部分を小さくして実装領域を有効に活用できる。特に、より大きいコンデンサを装着できるので、回路基板に使用する電気二重層コンデンサの容量を一層大きくできる利点がある。電気二重層コンデンサの外形を角状にするためには、金属缶を共に角状に形成する必要があるが、このような構成を採用すると、これら金属缶をガスケットで封口することが困難となる。そこで、絶縁性の樹脂又はセラミック等で、電気二重層コンデンサの容器を形成することが考えられる。これにより、電気二重層コンデンサをチップ化することも可能となる。
【０００５】
【特許文献１】
特開平８−６４４８４号公報
【０００６】
【発明が解決しようとする課題】
絶縁性の樹脂又はセラミック等で形成された容器を用いた水系及び非水系電気二重層コンデンサでは、分極性電極と接続されるリード部材又は集電体は、容器を貫通して外部に引き出されることになる。しかしながら、このような電気二重層コンデンサでは、リード部材又は集電体と容器の密着性が高くないために、容器内部の電解液が、リード部材又は集電体と容器の間を通って漏れるおそれが高い。また、リード部材又は集電体と容器の間を通って、外部から水分が容器内部に浸入するおそれも高い。非水系電気二重層コンデンサでは、電解液に水分が混入すると、その混入水分が電気分解を起こすこと等により性能に悪影響が生じる。
【０００７】
水系及び非水系電解質電池は、電気二重層コンデンサと同様な構造であるために、上記の問題は、水系及び非水系電解質電池の外形を角状にする場合にも生ずる。
【０００８】
本発明は、上記の問題を解決するものであり、電解液の漏れや外部からの水分の浸入のおそれが少ない、絶縁性材料で形成された容器を用いた電気二重層コンデンサ及び電池を提供する。
【０００９】
【課題を解決するための手段】
本発明の電気二重層コンデンサは、夫々電解液が含浸された第１分極性電極、セパレータ及び第２分極性電極を収納する絶縁性材料で形成された容器と、前記第１分極性電極に電気的に接続された板状の第１端子部材と、前記第２分極性電極に電気的に接続された板状の第２端子部材とを具えており、前記第１端子部材及び前記第２端子部材は、前記容器を貫通して外部に延びており、前記第１端子部材及び前記第２端子部材には、前記容器の外部に至る前記容器の壁部に埋められた部分に、１又は複数の開口、切り欠き、若しくは網部が形成されている。
【００１０】
また、本発明のチップ型電気二重層コンデンサは、夫々電解液が含浸された第１分極性電極、セパレータ及び第２分極性電極を収納する絶縁性材料で形成された容器と、前記第１分極性電極に電気的に接続された板状の第１端子部材と、前記第２分極性電極に電気的に接続された板状の第２端子部材とを具えており、前記第１端子部材及び前記第２端子部材は、前記容器を貫通して外部に延びており、前記第１端子部材及び前記第２端子部材は、前記容器の外部に至る前記容器の壁部に埋められた部分が薄くなっている。
【００１１】
【作用及び効果】
第１端子部材及び第２端子部材において、容器の外部に至る容器の壁部に埋められた部分に、１又は複数の開口、切り欠き、若しくは網部を形成することにより、容器と当該部分の接触面積が減少する。これにより、容器内部の電解液が容器外部に漏れる経路の面積は少なくなり、また、該経路が複雑化するので、電解液の漏れが抑制される。加えて、容器外部の水分が容器内部に浸入する経路の面積も少なくなり、また、該経路が複雑化するので、水分の浸入も抑制される。第１端子部材及び第２端子部材において、容器の外部に至る容器の壁部に埋められた部分を薄くすることによっても、容器と当該部分の接触面積が減少するので、、電解液の漏れや外部からの水分の浸入を抑制することができる。
【００１２】
上記構成に加えて、例えば、第１端子部材を、容器の壁部内で屈曲させて外部へ延出させると、第１端子部材が容器から一層抜け難くなる。さらに、電解液及び水分の経路が容器の壁部厚さ方向に長くなり且つ複雑化するから、電解液の漏れや外部からの水分の浸入を一層抑制することができる。第２端子部材についても同様である。
【００１３】
上記構成において第１分極性電極を正活物質、第２分極性電極を負活物質とすることにより、本発明を電池にも適用できることは容易に理解される。
【００１４】
【発明の実施の形態】
図１は、本発明を適用したチップ型非水系電気二重層コンデンサの斜視図である。本実施例の電気二重層コンデンサは、絶縁性材料で形成された直方体状の外形を有する容器（１）を具えている。容器（１）は、液晶ポリマー（ＬＣＰ）で形成されている。容器（１）は、変形ポリアミド若しくはナイロン樹脂等の絶縁性樹脂で、ポリエチレンテレフタレート（ＰＢＴ）、ポリプロピレン（ＰＰ）若しくはポリフェニレンサルファイド（ＰＰＳ）等の絶縁性の熱可塑性プラスチックで、又は、アルミナ等の絶縁性セラミックやガラスで形成されてもよい。
【００１５】
容器（１）は、第１容器半体（２）と第２容器半体（３）とが組み合わされて矩形に構成されており、容器（１）の内部空間には、第１分極性電極や第２分極性電極等のコンデンサ要素が収納されている。容器（１）の内部からは、板状の第１端子部材（４）が、容器（１）を貫通して外部に引き出されている。さらに、板状の第２端子部材（５）が、第１端子部材（４）とは逆向きに容器（１）の外部に引き出されている。図１（ａ）は、第１端子部材（４）が引き出されている側から見た電気二重層コンデンサの斜視図であり、図１（ｂ）は、第２端子部材（５）が引き出されている側から見た電気二重層コンデンサの斜視図である。
【００１６】
図２は、図１におけるＡ−Ａ線を含む垂直面で電気二重層コンデンサを破断し、矢視方向に見た断面図である。第１容器半体（２）及び第２容器半体（３）は、直方体のブロック状の部材であり（図６参照）、これら容器半体（２）（３）には、共に直方体状の窪みが形成されている。これら容器半体（２）（３）は互いの窪みを向き合わせるように組み合わされており、これら窪みが合わせられることによって、容器（１）の内部空間が形成されている。なお、これら容器半体（２）（３）の一方を板状に、他方を開口した箱状に形成してもよい。
【００１７】
容器（１）の内部空間には、第１容器半体（２）側から第２容器半体（３）側へ順に、第１端子部材（４）、第１分極性電極（６）、セパレータ（７）、第２分極性電極（８）及び第２端子部材（５）が載置されている。第１端子部材（４）は、第１分極性電極（６）と電気的に接続されており、容器（１）の内部空間に配置される水平部分が集電体となることから、非水系電気二重層コンデンサの集電体として好適な材料であるステンレス、タングステンやアルミニウム等の板材を加工して作製されている。第１端子部材（４）の一端側は、第１容器半体（２）の壁部を貫通して外部に延び出ており、容器（１）の外部に延出した部分は、容器（１）の側面、さらには容器（１）の底面に沿って屈曲されている。第１端子部材（４）の一端側の先端部は、容器（１）の底面に配置されて、回路基板に半田付けされる部分となる。
【００１８】
第２端子部材（５）は、第２分極性電極（８）と電気的に接続されており、容器（１）の内部空間に配置される水平部分が集電体となることから、非水系電気二重層コンデンサの集電体として好適な材料であるステンレス等の板材を加工して作製されている。第２端子部材（５）の一端側は、第２容器半体（３）の壁部を貫通して容器（１）の外部に延び出ている。第２端子部材（５）の外部に延出した部分も、容器（１）の側面、さらには容器（１）の底面に沿って屈曲されている。第２端子部材（５）の一端側の先端部は、容器（１）の底面に配置されて、回路基板に半田付けされる部分となる。なお、第２端子部材（５）は、第１端子部材（４）と同じ材料で形成されている必要はない。
【００１９】
第１分極性電極（６）及び第２分極性電極（８）には、活性炭粉末又は活性炭繊維をシート状又はブロック状に成形したものが用いられる。第１分極性電極（６）及び第２分極性電極（８）には、フラーレンやカーボンナノチューブ等のカーボンナノマテリアルを用いることもできる。また、第１分極性電極（６）及び第２分極性電極（８）には、活性炭／炭素コンポジットを用いることもできる。セパレータ（７）には、ガラス繊維不織布、パルプの抄紙、又はポリ四フッ化エチレン（ＰＴＦＥ）等の絶縁性樹脂で形成されたフィルム等が用いられる。
【００２０】
第１分極性電極（６）、セパレータ（７）及び第２分極性電極（８）には、電解液が含浸されている。本実施例では、トリ−エチル−メチル−アンモニウム−テトラ−フルオロ−ボレイド（Ｅｔ３ＭｅＮＢＦ４）又はテトラ−エチル−アンモニウム−テトラ−フルオロ−ボレイド（Ｅｔ４ＮＢＦ４）等の電解質を非プロトン性有機溶媒に溶かした電解液が使用されている。非プロトン性有機溶媒には、カーボネート、ラクトン、ニトリル、アミド、ニトロアルカン、スルホン、スルホキシド、ホスフェード、又は、ジニトリル若しくはエーテルニトリルのような二官能性溶媒が使用される。また、プロピレンカードネート（ＰＣ）、エチレンカーボネート（ＥＣ）、ガンマブチロラクトン（ＧＢＬ）、スルホラン（ＳＦＬ）又はアセトニトリル（ＡＮ）等が電解液として用いられる。さらに、電解液として、１−メチル−３−メチル−イミダゾリウム等のイオン性液体を用いてもよい。
【００２１】
第１端子部材（４）及び第２端子部材（５）には、容器（１）の外部に至る、容器（１）の壁部に埋められた部分に、すなわち容器（１）の壁部内に配置された部分に、夫々複数の開口（１１）（１２）が開設されている。これら開口（１１）（１２）は、容器（１）を形成する液晶ポリマーで満たされている。図３は、第１容器半体（２）の平面図である。本図では、第１容器半体（２）の壁部に埋められた第１端子部材（４）の部分を破線で示してある。第１端子部材（４）には、容器外部に至る第１容器半体（２）の壁部に埋められた部分に、開口（１１）が、複数箇所、例えば３箇所に開設されている。第２端子部材（５）にも、同様に、開口（１２）が３箇所に開設されている。開口（１１）（１２）の大きさは、開口（１１）（１２）を開設することによって、容器（１）と接触する端子部材（４）（５）表面の面積が低減されるように決められる。開口（１１）（１２）があまりに小さい場合、容器（１）と接触する端子部材（４）（５）表面の面積は増加してしまう。
【００２２】
図４（ａ）乃至（ｄ）は、第１端子部材（４）の他の実施形態を示す第１容器半体（２）の平面図である。本図では、第１容器半体（２）の壁部に埋められた第１端子部材（４）の部分を破線で示してある。図４（ａ）に示す実施形態では、第１端子部材（４）には、容器外部に至る第１容器半体（２）の壁部に埋められた部分に、切り欠き（１３）が２箇所に形成されている。図４（ｂ）に示す実施形態では、第１端子部材（４）の当該部分に網部（１４）が形成されている。網部（１４）の網目は菱形をしており、網部（１４）は、第１端子部材（４）のベースとなる板材に、エキスパンドメタルと同様に多数の切り込みを形成して伸張することにより形成される。図４（ｃ）に示す実施形態では、網部（１４）の網目は丸形をしており、網部（１４）は、第１端子部材（４）のベースとなる板材に、パンチングメタルと同様に打ち抜き加工を施すことにより形成される。図４（ｄ）に示す形態では、第１端子部材（４）には、容器外部に至る第１容器半体（２）の壁部に埋められた部分に、網部（１４）に加えて、更に切り欠き（１３）が２箇所に形成されている。第１端子部材（４）に、図３に示す開口（１１）に加えて、切り欠き（１３）を形成してもよい。これら切り欠き（１３）及び網部（１４）の網目は、容器（１）を形成する樹脂で満たされている。切り欠き（１３）及び網部（１４）の網目の大きさは、これらを形成することによって、容器（１）と接触する第１端子部材（４）表面の面積が低減されるように決められる。第２端子部材（５）にも、図４（ａ）乃至（ｄ）に示すように、切り欠き（１３）や網部（１４）を形成してもよい。
【００２３】
本実施例の電気二重層コンデンサの製造方法について説明する。まず、図５に示すように、第１端子部材（４）のベースとなる板材（３１）に、開口（１１）が３箇所に開設される。第２端子部材（５）のベースとなる板材（３２）に、開口（１２）が３箇所に開設される。なお、後に図８を用いて説明する電気二重層コンデンサの場合、これら工程の後に、端子部材（４）（５）の屈曲工程がなされる。
【００２４】
次に、図６に示すように、板材（３１）に、インサートモールド成形により第１容器半体（２）を作製する。第１容器半体（２）は、該第１容器半体（２）の窪みの底面上に板材（３１）の一端側が配置され、板材（３１）の他端側が第１容器半体（２）の側面から突出し、板材（３１）の一端側の縁部が、第１容器半体（２）の壁部に埋められるように作製される。さらに、第１容器半体（２）は、板材（３１）に形成された開口（１１）が、第１容器半体（２）の壁部を形成する樹脂で満たされるように作製される。同様に、第２容器半体（３）も、第２端子部材（５）のベースとなる板材（３２）に作製される。
【００２５】
図７に示すように、作製された第１容器半体（２）は、窪みを上方に向けた姿勢にされる。そして、第１分極性電極（６）が、導電性接着材を用いて板材（３１）に接着される。その後、電解液を含浸させたセパレータ（７）が第１分極性電極（６）上に載置され、さらに、第１容器半体（２）の窪みに電解液が注入される。第２容器半体（３）は、第２分極性電極（８）が導電性接着材を用いて板材（３２）に接着され、第２分極性電極（８）に電解液が含浸された後、窪みを下方に向けた状態で、第１容器半体（２）上に載置される。以上により、図２に示す、容器（１）の内部空間内のコンデンサ要素の積層構造が出来上がる。そして、第１容器半体（２）の壁部端面（２ａ）と第２容器半体（３）の壁部端面（３ａ）とを、超音波溶着によって接合し、最後に、板材（３１）（３２）の突出部分を容器（１）の外面に沿って屈曲させると、本実施例の電気二重層コンデンサが完成する。なお、後述する本発明を適用した水系電気二重層コンデンサ、非水系電解質電池及び水系電解質電池も同様に製造される。
【００２６】
図８は、本発明の第２実施例の電気二重層コンデンサを示す断面図である。図２に示すように、先の実施例では、第１端子部材（４）及び第２端子部材（５）は、真っ直ぐに容器（１）の壁部を貫通しているが、第２実施例では、第１端子部材（４）及び第２端子部材（５）は壁部内で２度屈曲して、容器（１）の外部に引き出されている。図９は、第２端子部材（５）の斜視図である。容器（１）の外部から容器（１）の壁部内部に入り込んでいる水平部分（５１）には、開口（１２）が３箇所に開設されている、容器（１）の内部において該水平部分（５１）から垂直に延びる垂直部分（５２）には、開口（１２）が４箇所に開設されている。第１端子部材（４）の水平部分（４１）及び垂直部分（４２）にも同様に開口（１１）が形成されている。
【００２７】
図９に示すように、第２端子部材（５）の水平部分（５１）に形成された開口（１２）と、垂直部分（５２）に形成された開口（１２）とは、図４（ｃ）に示す網部の丸形の網目のように、横方向にずれて配置されている。これにより、容器内部の電解液が容器外部に漏れる経路が長くなり複雑化するので、電解液の漏れが抑制される。また、容器外部の水分が容器内部に浸入する経路が長くなり複雑化するので、水分の浸入も抑制される。水平部分（５１）及び垂直部分（５２）に、図１０（ａ）に示すように複数の切り欠き（１３）を形成してもよく、図１０（ｂ）に示すように網部（１４）を形成してもよい。第１端子部材（４）の水平部分（４１）及び垂直部分（４２）についても同様である。なお、図１０（ａ）では、水平部分（５１）及び垂直部分（５２）の各々に２つの切り欠き（１３）が形成されているが、これら２つの切り欠き（１３）の大きさは同じではなく、また、水平部分（５１）における切り欠き（１３）間の領域（５３）と、垂直部分（５２）における切り欠き（１３）間の領域（５４）は、横方向にずれている。このように、これら領域（５３）（５４）がずれるように切り欠き（１３）を形成することにより、容器内部の電解液が容器外部に漏れる経路が長くなり複雑化するので、電解液の漏れが抑制される。また、容器外部の水分が容器内部に浸入する経路が長くなり複雑化するので、水分の浸入も抑制される。
【００２８】
図８に示す本発明の第２実施例の電気二重層コンデンサでは、開口（１１）（１２）、切り欠き（１３）又は網部（１４）を形成することに加えて、第１端子部材（４）及び第２端子部材（５）を壁部内で屈曲させているので、これら端子部材（４）（５）は、容器（１）から一層抜け難くなっている。また、電解液及び水分の経路が容器の壁部厚さ方向に長くなり、容器（１）と端子部材（４）（５）の接触面が複雑になっているので、電解液が一層漏れにくくなり、水分が外部から容器（１）の内部に一層入り難くなっている。容器（１）の外部へこれら端子部材（４）（５）を引き出すことが可能であれば、第１端子部材（４）及び第２端子部材（５）の屈曲回数は限定されない。第１端子部材（４）及び第２端子部材（５）の少なくとも何れか一方を容器（１）の壁部内で屈曲させてもよい。
【００２９】
図１１は、本発明の第３実施例の電気二重層コンデンサを示す断面図である。先の実施例の電気二重層コンデンサでは、構造の簡略化を図るために、第１端子部材（４）及び第２端子部材（５）は集電体に用いられる材料と同じ材料で形成している。一方、本実施例の電気二重層コンデンサでは、第１端子部材（４）を、板状の第１リード部材（１５）と、該第１リード部材（１５）に接合された、第１分極性電極（６）からの集電用の第１集電体部（１６）とによって構成している。また、第１端子部材（５）を、板状の第１リード部材（１７）と、該第１リード部材（１７）に接合された、第２分極性電極（８）からの集電用の第２集電体部（１８）とによって構成している。
【００３０】
第１集電体部（１６）は、ステンレス、アルミニウム又はタングステン等の集電体として好適な材料で形成されている。第１リード部材（１５）は、第１集電体部（１６）を形成する材料とは異なる導電性金属（合金を含む。以下同じ）で、例えば銅、ニッケル、銅合金等で形成されており、容器（１）を貫通して外部に引き出されている。なお、当然に、第１リード部材（１５）を集電体として好適な材料で形成してもよい。第１集電体部（１６）は、容器（１）の内部空間に配置される第１リード部材（１５）の水平部分に、第１分極性電極（６）と接触するように設けられる。第１集電体部（１６）は、例えば、プラスマ溶射等の方法で第１端子部材（４）の表面にアルミニウム層若しくはタングステン層等を形成することにより、又はアルミニウム箔若しくはタングステン箔等を第１端子部材（４）の表面に接合することにより、第１端子部材（４）に設けられる。第１集電体部（１６）は、メッキ処理により形成されてもよい。第１集電体部（１６）は、少なくとも第１リード部材（１５）の水平部分の第１分極性電極（６）側に設ける必要があるが、当該水平部分を覆うように設けられてもよい。
【００３１】
第２集電体部（１８）は、ステンレス等の集電体として好適な材料で形成されている。第２リード部材（１７）は、第２集電体部（１８）を形成する材料とは異なる導電性金属で、例えば銅、銅合金又はニッケル等で形成されており、容器（１）を貫通して外部に引き出されている。なお、当然に、第２リード部材（１７）を集電体として好適な材料で形成してもよい。容器（１）の内部空間に配置される第２リード部材（１７）の水平部分に、第２分極性電極（８）と接触するように設けられる。第２集電体部（１８）は、少なくとも第２リード部材（１７）の水平部分の第２分極性電極（８）側に設ける必要があるが、当該水平部分を覆うように設けられてもよい。第２集電体部（１８）は、第１集電体部（１６）と同様な方法で第２端子部材（５）に設けられる。なお、第１端子部材（４）及び第２端子部材（５）の両方を、図１１に示す構成と同じにする必要はなく、これらの何れか一方を、図２に示すようにリード部材と集電体を一体化した構成としてもよい。また、第１端子部材（４）及び第２端子部材（５）の少なくとも何れか一方を  図８に示すように容器（１）の壁部内で屈曲させてもよい。
【００３２】
第１端子部材（４）及び第２端子部材（５）には、容器（１）の外部に至る容器（１）の壁部に埋められた部分に、図３に示すように夫々開口（１１）（１２）が開設されている。第１集電体部（１６）は容器（１）の壁部を貫通し、一端を容器（１）の外方へ延ばしており、各開口（１１）は、第１リード部材（１５）及び第１集電体部（１６）に亘って開設されている。一方、第２集電体部（１８）の縁部は、容器（１）の壁部に埋められておらず、第２集電体部（１８）は容器（１）と接していない。各開口（１２）は、第２リード部材（１７）のみに開設されている。第１端子部材（４）は第２端子部材（５）のように構成されてもよく、第２端子部材（５）は第１端子部材（４）のように構成されてもよい。また、図４に示すような切り欠き（１３）や網部（１４）を端子部材（４）（５）に形成してもよい。
【００３３】
図１２は、本発明の第４実施例の電気二重層コンデンサを示す断面図である。第１端子部材（４）及び第２端子部材（５）の一部は、薄く形成されている。これらの薄く形成された部分は容器（１）を貫通しており、容器（１）の外部に至る壁部に埋められた端子部材（４）（５）の部分は薄くなっている。これにより、端子部材（４）（５）の両側面と容器（１）の接触面積が減少するので、電解液の漏れや外部からの水分の浸入が抑制される。なお、さらに、先の実施例のように、端子部材（４）（５）に開口（１２）、切り欠き（１３）又は網部（１４）を形成してもよく、端子部材（４）（５）を壁部内で屈曲させてもよい。また、端子部材（４）（５）をリード部材（１５）（１７）と集電体部（１６）（１８）で構成してもよい。
【００３４】
本発明は、水系電気二重層コンデンサに適用できる。この場合、電解液には、Ｈ２ＳＯ４又はＫＯＨ等の水溶液が使用され、図１１に示す第１集電体部（１６）及び第２集電体部（１８）には、導電性ブチルゴム又は導電性エラストマーが使用される。また、セパレータ（７）には、ポリプロピレンのシート、ポリエチレン多孔膜、又はガラス繊維不燃布等が使用される。なお、本発明を水系電気二重層コンデンサに適用する場合、第１リード部材（１５）及び第２リード部材（１７）が電解液と接触することを避けなくてはならない。本発明を水系電気二重層コンデンサに適用する場合、第２集電体部（１８）も第１集電体部（１６）と同様に構成されて、第２リード部材（１７）が容器（１）の内部空間に露出しないようにする必要がある。
【００３５】
本発明は、非水系電解質電池に適用できる。この場合、例えば、図１１に示す第１分極性電極（６）は正活物質（６１）に、第２分極性電極（８）は負活物質（８１）に置き換わる。リチウムイオン電池に本発明を適用する場合、正活物質（６１）には、コバルト酸リチウム、マンガン酸リチウム又はニッケル酸リチウム等の粉末を加圧成形又は焼結したものが使用され、負活物質（８１）には、グラファイト系炭素材料又はコークス系炭素材料の粉末を加圧成形又は焼結したものが使用される。電解液には、リチウム塩を溶解させた有機溶媒が使用される。例えば、リチウム塩には、ＬｉＢＦ４、ＬｉＣｌＯ４、ＬｉＰＦ６、ＬｉＡｓＦ６、Ｌｉ（ＣＦ３Ｏ２）２Ｎ又はＬｉＣ４Ｆ９ＳＯ３が使用され、有機溶媒には、プロピレンカーボネート、ガンマブチロラクトン、又はこれらの何れかと鎖状炭酸エステルとの混合液が使用される。鎖状炭酸エステルには、ジメチルカーボネート（ＤＭＣ）、ジエチルカーボネート（ＤＥＣ）又はエチルメチルカーボネート（ＥＭＣ）等が使用される。セパレータ（７）には、ポリオフィレン、ポリエチレン又はポリプロピレン等の高分子多孔性フィルム等が使用される。第１集電体部（１６）は、アルミニウム等で形成され、第２集電体部（１８）は銅等で形成される。第１リード部材（１５）は、第１集電体部（１６）を形成する材料と異なる導電性金属で、第２リード部材（１７）は、第２集電体部（１８）を形成する材料とは異なる導電性金属で形成される。なお、第１リード部材（１５）をアルミニウム等で形成し、第２リード部材（１７）を銅等で形成して、図２に示すように、集電体とリード部材を一体化してもよい。
【００３６】
本発明は、水系電解質電池に適用できる。この場合、例えば、図１１に示す第１分極性電極（６）は正活物質（６１）に、第２分極性電極（８）は負活物質（８１）に置き換わる。ニッケル水素電池に本発明を適用する場合、正活物質（６１）には、ニッケル酸化物の粉末又はペレットを焼結又は圧縮成形したものが使用され、負活物質（８１）には、Ｍｍ−Ｎｉ−Ｃｏ−Ｍｎ−−Ａｌ（Ｍｍは希土類元素の混合物）系の水素吸蔵合金の粉末又はペレットを焼結又は圧縮成形したものが使用される。電解液には、ＫＯＨ又は高分子ヒドロゲル電解質が使用される。セパレータ（７）には、スルホン化ポリプロピレン等の高分子多孔性フィルムが使用される。第１集電体部（１６）及び第２集電体部（１８）には、発泡ニッケルが使用される。リード部材（１５）（１７）には、銅、アルミニウム、ニッケル等の金属が使用される。
【００３７】
以上の説明では、主に、本発明を非水系電気二重層コンデンサに適用した場合を主に取り上げたが、本発明を、水系電気二重層コンデンサ、非水系電解質電池及び水系電解質電池に適用する場合にも、図４に示すように、端子部材（４）（５）に切り欠き（１３）や網部（１４）を形成してもよく、図８及び図９に示すように、端子部材（４）（５）を容器（１）の壁部内で屈曲させてもよい。また、本発明において、開口（１１）（１２）、切り欠き（１３）及び網部（１４）の形状、個数及び組合せは、本発明の目的を達成できる限り特に限定されない。端子部材（４）（５）に、開口（１１）（１２）又は切り欠き（１３）を１箇所に形成しても良く、網部（１４）を複数箇所に形成してもよい。
【００３８】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明の電気二重層コンデンサの斜視図である。（ａ）図は、第１リード部材の引出面から見た図であり、（ｂ）図は、第２端子部材の引出面から見た図である。
【図２】本発明の電気二重層コンデンサの断面図である。
【図３】本発明の電気二重層コンデンサの容器半体の平面図である。
【図４】本発明の電気二重層コンデンサの容器半体の平面図である。図４（ａ）乃至（ｄ）は、夫々端子部材の異なる実施形態を示す。
【図５】本発明の電気二重層コンデンサの端子部材の基礎となる板材に、開口が開設された状態を示す斜視図である。
【図６】本発明の電気二重層コンデンサの端子部材の基礎となる板材に、容器半体が形成された状態を示す斜視図である。
【図７】本発明に係る電気二重層コンデンサの製造工程を示す説明図である。
【図８】本発明に係る電気二重層コンデンサの断面図である。
【図９】本発明の電気二重層コンデンサの第２端子部材の斜視図である。
【図１０】本発明の電気二重層コンデンサの第２端子部材の斜視図である。図１０（ａ）及び（ｂ）は、夫々第２端子部材の異なる実施形態を示す。
【図１１】本発明の電気二重層コンデンサ又は電池の断面図である。
【図１２】本発明の電気二重層コンデンサの断面図である。
【符号の説明】
（１）          容器
（４）          第１端子部材
（５）          第２端子部材
（６）          第１分極性電極
（７）          セパレータ
（８）          第２分極性電極
（１１）        開口
（１２）        開口
（１３）        切り欠き
（１４）        網部
（１５）        第１リード部材
（１６）        第１集電体部
（１７）        第２リード部材
（１８）        第２集電体部
（６１）        正活物質
（８１）        負活物質
【図１】
2005026536.tif 000003
【図２】
2005026536.tif 000004
【図３】
2005026536.tif 000005
【図４】
2005026536.tif 000006
【図５】
2005026536.tif 000007
【図６】
2005026536.tif 000008
【図７】
2005026536.tif 000009
【図８】
2005026536.tif 000010
【図９】
2005026536.tif 000011
【図１０】
2005026536.tif 000012
【図１１】
2005026536.tif 000013
【図１２】
2005026536.tif 000014